(57)【要約】【課題】  ＶＴＲのようなテープ走行系を設けた装置において、メカ的な機構やバッテリー等を追加することなく、電源供給遮断時におけるテープのたるみの発生を抑制でき、且つ、停電時やＡＣコンセントが抜かれた場合にもテープのたるみの発生を抑制できるようにする。【解決手段】  テープ状記録媒体の供給及び巻取りを行うための供給リール及び巻取りリールと、このテープ状記録媒体への信号の記録及び／または再生を行うヘッドを搭載したドラムモーター３と、このテープ状記録媒体を走行させるためのキャプスタンモーター４とを有するテープ走行系を設けた記録再生装置において、電源の供給が遮断された後、ドラムモーター３が発生している逆起電圧をキャプスタンモーター４に供給することにより、キャプスタンモーター４の回転を制動する制動手段１５〜１７を備える。【選択図】  図２
2006277797.tif 000002
【特許請求の範囲】
【請求項１】
テープ状記録媒体の供給及び巻取りを行うための供給リール及び巻取りリールと、
前記テープ状記録媒体への信号の記録及び／または再生を行うヘッドを搭載したドラムモーターと、
前記テープ状記録媒体を走行させるためのキャプスタンモーターと
を有するテープ走行系を設けた記録再生装置において、
電源の供給が遮断された後、前記ドラムモーターが発生している逆起電圧を前記キャプスタンモーターに供給することにより、前記キャプスタンモーターの回転を制動する制動手段
を備えたことを特徴とする記録再生装置。
【請求項２】
請求項１に記載の記録再生装置において、
前記テープ走行系は、前記供給リールを回転させるリールモーターを有するとともに、前記キャプスタンモーターの回転と連動して前記巻取りリールを回転させる機構を有しており、
前記制動手段は、
電源の供給が遮断されたとき、前記テープ状記録媒体をフォワード方向に走行させる制御信号を前記キャプスタンモーターに供給する手段と、
前記テープ状記録媒体をリバース方向に走行させている状態で電源の供給が遮断されたとき、前記逆起電圧を前記キャプスタンモーターに供給する手段と
から成ることを特徴とする記録再生装置。
【請求項３】
請求項１に記載の記録再生装置において、
前記制動手段は、
前記テープ状記録媒体の走行方向を指示する制御信号を前記キャプスタンモーターに供給する手段と、
前記制御信号が指示する走行方向を反転させた反転信号を生成する手段と、
電源の供給が遮断されたとき、前記制御信号に代えて前記反転信号を前記キャプスタンモーターに供給する手段と、
電源の供給が遮断されたとき、前記逆起電圧を前記キャプスタンモーターに供給する手段と
から成ることを特徴とする記録再生装置。
【請求項４】
テープ状記録媒体の供給及び巻取りを行うための供給リール及び巻取りリールと、
前記テープ状記録媒体への信号の記録及び／または再生を行うヘッドを搭載したドラムモーターと、
前記テープ状記録媒体を走行させるためのキャプスタンモーターと
を有するテープ走行系を制御するテープ走行制御装置において、
電源の供給が遮断された後、前記ドラムモーターが発生している逆起電圧を前記キャプスタンモーターに供給することにより、前記キャプスタンモーターの回転を制動する制動手段
を備えたことを特徴とするテープ走行制御装置。
【請求項５】
請求項４に記載のテープ走行制御装置において、
前記テープ走行系は、前記供給リールを回転させるリールモーターを有するとともに、前記キャプスタンモーターの回転と連動して前記巻取りリールを回転させる機構を有しており、
前記制動手段は、
電源の供給が遮断されたとき、前記テープ状記録媒体をフォワード方向に走行させる制御信号を前記キャプスタンモーターに供給する手段と、
電源の供給が遮断されたとき、前記逆起電圧を前記キャプスタンモーターに供給する手段と
から成ることを特徴とするテープ走行制御装置。
【請求項６】
請求項４に記載のテープ走行制御装置において、
前記制動手段は、
電源の供給時に、前記テープ状記録媒体の走行方向を指示する制御信号を前記キャプスタンモーターに供給する手段と、
前記制御信号が指示する走行方向を反転させた反転信号を生成する手段と、
電源の供給が遮断されたとき、前記制御信号に代えて前記反転信号を前記キャプスタンモーターに供給する手段と、
電源の供給が遮断されたとき、前記逆起電圧を前記キャプスタンモーターに供給する手段と
から成ることを特徴とするテープ走行制御装置。
【請求項７】
テープ状記録媒体の供給及び巻取りを行うための供給リール及び巻取りリールと、
前記テープ状記録媒体への信号の記録及び／または再生を行うヘッドを搭載したドラムモーターと、
前記テープ状記録媒体を走行させるためのキャプスタンモーターと
を有するテープ走行系を制御する方法において、
電源の供給が遮断された後、前記ドラムモーターが発生している逆起電圧を前記キャプスタンモーターに供給することにより、前記キャプスタンモーターの回転を制動する
ことを特徴とするテープ走行系の制御方法。
【発明の詳細な説明】
【技術分野】
【０００１】
本発明は、例えばＶＴＲに適用することのできる記録再生装置，テープ走行制御装置及びテープ走行系の制御方法に関する。
【背景技術】
【０００２】
ＶＴＲのテープ走行系は、図６に示すように、ビデオテープＴの供給及び巻取りを行うための供給リール５１及び巻取りリール５２と、ビデオテープＴへの信号の記録及び再生を行うヘッドを搭載したドラムモーター５３と、ビデオテープＴを走行させるためのキャプスタンモーター５４とを主な構成要素としている。
【０００３】
テープ走行時には、ピンチローラー５５によってキャプスタンモーター５４に押し付けられたビデオテープＴが、回転するキャプスタンモーター５４によって送り出され、テープガイド５６ａ〜５６ｇに沿って走行する。
【０００４】
こうしたテープ走行系において、ビデオテープＴの走行中にＶＴＲへの電源の供給が遮断された際に、供給リール５１や巻取りリール５２の回転が停止した後にもキャプスタンモーター５４が慣性によって回転してビデオテープＴを送り出し続けると、ビデオテープＴにたるみが発生してしまう。
【０００５】
従来、こうした電源遮断時のビデオテープのたるみの発生を抑制する方法としては、次の（１）〜（３）のような方法が存在していた。
【０００６】
（１）電源遮断時に、メカ的な機構によってキャプスタンモーターの回転にブレーキをかける。具体例としては、電源供給時には電磁プランジャーに引っ張られてキャプスタンモーターから離れているが電源遮断時には電磁プランジャーから開放されてキャプスタンモーターに接するようなレバーを設けるという方法が挙げられる。
【０００７】
（２）ＶＴＲ内の電源回路を制御することにより、電源釦がオフにされた後もキャプスタンモーターにしばらく電源を供給して、その間にキャプスタンモーターのブレーキ処理を行う。
【０００８】
（３）キャプスタンモーターへのピンチローラーの圧着方式としてプランジャー方式（電源供給時には電磁プランジャーに引っ張られてキャプスタンモーターに圧着し、電源遮断時には電磁プランジャーから開放されてキャプスタンモーターから離れるという方式）を採用することにより、電源遮断後は、ビデオテープがキャプスタンモーターに接しないようにする。
【０００９】
他方、電源供給遮断時におけるものではないが、スチル再生モードにおいてビデオテープのたるみの発生を抑制する方法としては、回転ドラムの近傍にテープ変形抑制ガイドを配置するとともに、スチル再生モード時に、回転ドラムの近傍に配置した静電制動体にテープを吸着させるという方法が提案されていた（例えば、特許文献１参照。）。
【００１０】
【特許文献１】特開２００１−３４４８５０号公報（段落番号００５８，７９、図１，３）
【発明の開示】
【発明が解決しようとする課題】
【００１１】
しかし、上記方法（１）は、メカ的な機構を設けるためのスペースをＶＴＲ内に用意することが必要になる。そのため、例えばＶＴＲを小型化する必要がある場合には、小型化が困難になってしまう。
【００１２】
上記方法（２）は、電源釦がオフにされた場合には有効であるが、停電になった場合やＶＴＲのＡＣコンセントが抜かれた場合には効果がない。ここで、ＶＴＲにバッテリーを搭載したり、大容量のコンデンサーをＶＴＲに搭載して電源電圧を充電するようにすれば、停電時等にもキャプスタンモーターのブレーキ処理を行うことが可能になる。しかし、バッテリーや大容量のコンデンサーを搭載すると、やはりＶＴＲの小型化が困難になる。
【００１３】
上記方法（３）は、キャプスタンモーターへのピンチローラーの圧着方式としてプランジャー方式以外の方式（例えば専用のモーターを設け、そのモーターによってカムを回転させてピンチローラーをキャプスタンモーターに押し付ける方式）を採用しているＶＴＲに対しては、圧着方式自体を変更しなければならなくなるので、実現が困難である。
【００１４】
また、上記特許文献１に記載の方法では、電源供給遮断時におけるビデオテープのたるみの発生を抑制することはできない。
【００１５】
本発明は、上述の点に鑑み、ＶＴＲのように供給リール，巻取りリール，ドラムモーター及びキャプスタンモーターを有するテープ走行系を設けた装置において、メカ的な機構やバッテリー等を追加することなく、電源供給遮断時におけるテープのたるみの発生を抑制でき、且つ、停電時やＡＣコンセントが抜かれた場合にもテープのたるみの発生を抑制できるようにすることを課題としてなされたものである。
【課題を解決するための手段】
【００１６】
この課題を解決するために、本発明は、テープ状記録媒体の供給及び巻取りを行うための供給リール及び巻取りリールと、このテープ状記録媒体への信号の記録及び／または再生を行うヘッドを搭載したドラムモーターと、このテープ状記録媒体を走行させるためのキャプスタンモーターとを有するテープ走行系を設けた記録再生装置において、電源の供給が遮断された後、ドラムモーターが発生している逆起電圧をキャプスタンモーターに供給することにより、キャプスタンモーターの回転を制動する制動手段を備えたことを特徴とする。
【００１７】
また、本発明は、テープ状記録媒体の供給及び巻取りを行うための供給リール及び巻取りリールと、このテープ状記録媒体への信号の記録及び／または再生を行うヘッドを搭載したドラムモーターと、このテープ状記録媒体を走行させるためのキャプスタンモーターとを有するテープ走行系を制御するテープ走行制御装置において、電源の供給が遮断された後、ドラムモーターが発生している逆起電圧をキャプスタンモーターに供給することにより、キャプスタンモーターの回転を制動する制動手段を備えたことを特徴とする。
【００１８】
また、本発明は、テープ状記録媒体の供給及び巻取りを行うための供給リール及び巻取りリールと、このテープ状記録媒体への信号の記録及び／または再生を行うヘッドを搭載したドラムモーターと、このテープ状記録媒体を走行させるためのキャプスタンモーターとを有するテープ走行系を制御する方法において、電源の供給が遮断された後、ドラムモーターが発生している逆起電圧をキャプスタンモーターに供給することにより、キャプスタンモーターの回転を制動することを特徴とする。
【００１９】
供給リール，巻取りリール，ドラムモーター及びキャプスタンモーターを有するテープ走行系では、電源の供給が遮断された後、ドラムモーターも慣性によってしばらく（例えば数秒間）回転を続ける。したがって、電源供給遮断後も、ドラムモーターは逆起電圧を発生する。本発明は、この逆起電圧をキャプスタンモーターに供給することによってキャプスタンモーターの回転を制動するようにしたものである。
【００２０】
これにより、前述の従来の方法（１）や（２）と異なり、メカ的な機構やバッテリーや大容量のコンデンサーを追加することなく、電源遮断時に、キャプスタンモーターの回転にブレーキをかけてテープのたるみの発生を抑制することができる。
【００２１】
また、従来の方法（２）と異なり、停電時やＡＣコンセントが抜かれた場合にも、キャプスタンモーターの回転にブレーキをかけてテープのたるみの発生を抑制することができる。
【００２２】
さらに、前述の従来の方法（３）と異なり、キャプスタンモーターへのピンチローラーの圧着方式とは無関係に、電源遮断時のテープのたるみの発生を抑制することができる。
【００２３】
なお、一例として、テープ走行系が、供給リールを回転させるリールモーターを有するとともに、キャプスタンモーターの回転と連動して巻取りリールを回転させる機構を有するものである場合には、制動手段は、電源の供給が遮断されたとき、テープ状記録媒体をフォワード方向に走行させる制御信号をキャプスタンモーターに供給する手段と、テープ状記録媒体をリバース方向に走行させている状態で電源の供給が遮断されたとき、ドラムモーターの逆起電圧をキャプスタンモーターに供給する手段とで構成することが好適である。
【００２４】
テープ走行系には、小型化等を目的として、巻取りリールを回転させる専用のリールモーターを設けずに、キャプスタンモーターの回転と連動してメカ的な機構によって巻取りリールを回転させるようにしたものが存在する。そうしたテープ走行系では、テープをフォワード方向に走行させているときに電源の供給が遮断されても、その後キャプスタンモーターがテープを送り出す長さと巻取りリールがテープを巻き取る長さとが等しくなるので、テープにたるみは発生しない。
【００２５】
他方、テープをリバース方向に走行させているときに電源の供給が遮断されると、その後キャプスタンモーターがテープを送り出す長さが供給リールがテープを巻き取る長さを超えた場合に、テープにたるみが発生する。
【００２６】
そこで、電源供給遮断時に、テープをフォワード走行させる制御信号をキャプスタンモーターに供給するとともに、リバース走行中の電源供給遮断時にドラムモーターの逆起電圧をキャプスタンモーターに供給することにより、より一層簡単な構成で、リバース走行中の電源供給遮断時にキャプスタンモーターの回転にブレーキをかけてテープのたるみの発生を抑制することができるようになる。
【００２７】
あるいはまた、別の例として、制動手段を、テープ状記録媒体の走行方向を指示する制御信号をキャプスタンモーターに供給する手段と、この制御信号が指示する走行方向を反転させた反転信号を生成する手段と、電源の供給が遮断されたとき、この制御信号に代えてこの反転信号をキャプスタンモーターに供給する手段と、電源の供給が遮断されたとき、ドラムモーターの逆起電圧をキャプスタンモーターに供給する手段とで構成するようにしてもよい。
【００２８】
それにより、フォワード走行中，リバース走行中のいずれにおいても、電源供給遮断時に、走行方向をそれまでとは反転させることがキャプスタンモーターに指示されるとともに、ドラムモーターの逆起電圧がキャプスタンモーターに供給される。したがって、フォワード走行中，リバース走行中のいずれの状態で電源の供給が遮断された場合にもテープにたるみが発生し得るようなテープ走行系においても、電源供給遮断時にキャプスタンモーターの回転にブレーキをかけてテープのたるみの発生を抑制することができるようになる。
【発明の効果】
【００２９】
本発明によれば、例えばＶＴＲのように供給リール，巻取りリール，ドラムモーター及びキャプスタンモーターを有するテープ走行系を設けた装置において、メカ的な機構やバッテリーや大容量のコンデンサーを追加することなく、電源遮断時にテープのたるみの発生を抑制することができ、且つ、停電時やＡＣコンセントが抜かれた場合にもテープのたるみの発生を抑制することができるという効果が得られる。さらに、キャプスタンモーターへのピンチローラーの圧着方式とは無関係に、電源遮断時のテープのたるみの発生を抑制できるという効果が得られる。
【発明を実施するための最良の形態】
【００３０】
次に、本発明の実施形態を、図面を用いて具体的に説明する。なお、以下では、卓上型のＶＴＲに本発明を適用した例について説明することにする。
【００３１】
図１は、本発明を適用したＶＴＲのテープ走行系の構成の概要を示す図である。このテープ走行系は、ビデオテープＴの供給及び巻取りを行うための供給リール１及び巻取りリール２と、ビデオテープＴへの信号の記録及び再生を行うヘッドを搭載したドラムモーター３と、ビデオテープＴを走行させるためのキャプスタンモーター４とを主な構成要素としている。キャプスタンモーター４としては、３相ＤＣモーターが用いられている。
【００３２】
供給リール１は、リールモーター５によって回転する。他方、巻取りリール２は、キャプスタンモーター４の動力がベルト６及び複数のギヤ７ａ〜７ｃで伝達されることにより、キャプスタンモーター４の回転と連動して回転する。
【００３３】
テープ走行時には、ピンチローラー８によってキャプスタンモーター４に押し付けられたビデオテープＴが、回転するキャプスタンモーター４によって送り出され、テープガイド９ａ〜９ｇに沿って走行する。キャプスタンモーター４へのピンチローラー８の圧着方式としては、図示は省略するが、専用のモーターによってカムを回転させてピンチローラー８をキャプスタンモーター４に押し付ける方式が採用されている。
【００３４】
このテープ走行系では、ビデオテープＴをフォワード方向に走行させているときにＶＴＲへの電源の供給が遮断されても、その後キャプスタンモーター４が慣性によって回転してビデオテープＴを送り出す長さと、このキャプスタンモーター４の回転に連動して巻取りリール２がビデオテープＴを巻き取る長さとが等しくなるので、ビデオテープＴにたるみは発生しない。
【００３５】
他方、ビデオテープＴをリバース方向に走行させているときにＶＴＲへの電源の供給が遮断されると、ビデオテープＴにたるみが発生する場合がある。すなわち、電源供給遮断後に供給リール２がビデオテープＴを巻き取る長さａと電源供給遮断後にキャプスタンモーター４がビデオテープＴを送り出す長さｂとがａ＝ｂの関係にあれば、ビデオテープＴにたるみは発生しない。また、この長さａとｂとがａ＞ｂの関係にあれば、ビデオテープＴに張りが生じるが、たるみは発生しない。しかし、この長さａとｂとがａ＜ｂの関係にあると、ビデオテープＴにたるみが発生する。
【００３６】
そこで、このＶＴＲには、リバース走行中の電源供給遮断時のビデオテープＴのたるみの発生を抑制するための回路が設けられている。図２は、この回路の構成を、ＶＴＲ内の関連する構成要素とともに示す図であり、ドラムモーター３及びキャプスタンモーター４は図1に示したのと同一のものである。
【００３７】
ＡＣコンセント（図示略）を介してＶＴＲに供給される商用電源に基き、ドラムモーター３を駆動するためのドライブ電圧DRUM DRIVEが整流用ダイオード１１を介してドラムモーター３に供給されるとともに、キャプスタンモーター４を駆動するためのドライブ電圧CAP DRIVEが整流用ダイオード１２を介してキャプスタンモーター４に供給される。
【００３８】
また、この商用電源に基き、キャプスタンモーター４内のドライバーＩＣを駆動するための定格１２Ｖの電圧ＶccがＦＥＴスイッチ１３を介してキャプスタンモーター４に供給されるとともに、ビデオテープＴの走行方向を制御する信号（リバース方向のとき‘Ｈ’＝５Ｖになり、フォワード方向のとき‘Ｌ’＝０Ｖになる信号）FWD／REVがキャプスタンモーター４に供給される。
【００３９】
このドライバーＩＣ駆動用の電圧Ｖccが供給されているか否かは電圧検出回路１４によって検出されており、電圧Ｖccが供給されていないことが検出されたとき、この電圧検出回路１４によってＦＥＴスイッチ１３がオフにされる。
【００４０】
キャプスタンモーター４自体は一般的な３相ＤＣモーターであり、その構成の概要を示すと図３の通りである。図２のドライブ電圧CAP DRIVEが、トランジスタＱ１，Ｑ３，Ｑ５のコレクタ端子にそれぞれ供給される。トランジスタＱ１，Ｑ３，Ｑ５のエミッタ端子はそれぞれトランジスタＱ２，Ｑ４，Ｑ６のコレクタ端子に接続されており、トランジスタＱ２，Ｑ４，Ｑ６のエミッタ端子はそれぞれ接地されている。そして、トランジスタＱ１とＱ２との接続中点，Ｑ３とＱ４との接続中点，Ｑ５とＱ６との接続中点に、モーターのステータ側の３相（Ｕ相，Ｖ相，Ｗ相）のモーターコイル２１，２２，２３がそれぞれ電気的に接続されている。
【００４１】
図２の電圧Ｖcc及び制御信号FWD／REVは、ドライバーＩＣ２４に供給される。ドライバーＩＣ２４は、電圧Ｖccによって駆動され、制御信号FWD／REV及びモーターのローター側のセンサ（図示略）からの回転位置情報Ｓに基いて各トランジスタＱ１〜Ｑ６のベース電位を切り替えることにより、モーターコイル２１〜２３に順に切り替えて電流を流して、モータの回転を制御する。
【００４２】
図２に戻り、ドラムモーター３にドライブ電圧DRUM DRIVEを供給する信号線の整流用ダイオード１１とドラムモーター３との接続中点Ｐ１は、ＦＥＴスイッチ１５及び整流用ダイオード１６を介して、キャプスタンモーター４にドライブ電圧CAP DRIVEを供給する信号線の整流用ダイオード１２とキャプスタンモーター４との接続中点Ｐ２に接続されている。
【００４３】
ＦＥＴスイッチ１５は、ＦＥＴスイッチ１３とは逆に、電圧Ｖccが供給されていないことが検出されたときにオンにされる。
【００４４】
また、ドラムモーター３にドライブ電圧DRUM DRIVEを供給する信号線の整流用ダイオード１１とドラムモーター３との接続中点Ｐ３は、整流用ダイオード１７を介して、電圧Ｖccをキャプスタンモーター４内のドライバーＩＣ２４（図３）に供給する信号線のＦＥＴスイッチ１３とキャプスタンモーター４との接続中点Ｐ４に接続されている。
【００４５】
次に、このＶＴＲにおいて、ビデオテープをリバース方向に走行させている最中に商用電源の供給が遮断された場合（ＶＴＲの電源釦がオフにされるか、停電になったか、またはＡＣコンセントが抜かれた場合）に、ビデオテープのたるみの発生が抑制される様子について説明する。
【００４６】
リバース走行中に商用電源の供給が遮断されると、図２のＦＥＴスイッチ１３がオフにされ、ＦＥＴスイッチ１５がオンにされ、制御信号FWD／REVが‘Ｌ’＝０Ｖに（すなわちフォワード方向を指示する信号に）なる。
【００４７】
また、ドラムモーター３は、商用電源の供給が遮断された後も、慣性によってしばらく（例えば数秒間）回転を続けて逆起電圧を発生する。この逆起電圧は、それまでのドライブ電圧CAP DRIVEの代わりに、図２のＦＥＴスイッチ１５及び整流用ダイオード１６を介してキャプスタンモーター４（図３のトランジスタＱ１，Ｑ３，Ｑ５）に供給される。また、この逆起電圧は、それまでの電圧Ｖccの代わりに、図２の整流用ダイオード１７を介してキャプスタンモーター４内のドライバーＩＣ２４（図３）に駆動用の電圧として供給される。
【００４８】
図３のドライバーＩＣ２４は、この逆起電圧によって駆動され、ビデオテープをフォワード方向に走行させるように（すなわちモーターをそれまでとは逆向きに回転させるように）各トランジスタＱ１〜Ｑ６のベース電圧を順に切り替える。
【００４９】
その結果、トランジスタＱ１，Ｑ３，Ｑ５に供給されているドラムモーター３の逆起電圧により、モーターをそれまでとは逆向きに回転させるようにモーターコイル２１〜２３に電流が順に切り替えて流れる。
【００５０】
これにより、キャプスタンモーター４の回転にブレーキがかけられるので、電源供給遮断後にキャプスタンモーター４がビデオテープを送り出す長さが短くなる。したがって、ビデオテープのたるみの発生が抑制される。
【００５１】
このようにして、このＶＴＲでは、メカ的な機構やバッテリーや大容量のコンデンサーを追加することなく、ＦＥＴスイッチや整流用ダイオードという小型の素子を用いた簡単な回路構成により、電源遮断時に、キャプスタンモーター４の回転にブレーキをかけてビデオテープのたるみの発生を抑制することができる。したがって、電源遮断時のビデオテープのたるみの発生を抑制しつつ、卓上型のＶＴＲを小型化することが可能になる。
【００５２】
また、ＶＴＲの電源釦がオフにされた場合だけでなく、停電時やＡＣコンセントが抜かれた場合にも、キャプスタンモーター４の回転にブレーキをかけてビデオテープのたるみの発生を抑制することができる。
【００５３】
さらに、キャプスタンモーター４へのピンチローラー８（図２）の圧着方式とは無関係に、電源遮断時のビデオテープのたるみの発生を抑制することができる。
【００５４】
最後に、図２の回路の構成の変更例について説明する。図４は、図２の回路の変更例を示す図であり、図２と共通する部分には同一符号を付している。この変更例では、電源供給時の電圧Ｖccを抵抗器３１を介してコンデンサー３２に充電し、電源供給遮断後に、ドラムモーター３の逆起電圧だけでなくこのコンデンサー３２から放電される電圧をキャプスタンモーター４内のドライバーＩＣ２４（図３）に駆動用の電圧として供給するようにしている。
【００５５】
例えばマルチフォーマットに対応したＶＴＲでは、記録・再生する映像信号のフォーマットによっては、ドラムモーター３の回転速度がそれほど速くならず、そのためドラムモーター３の逆起電圧がそれほど高くならない場合もある。そうした場合にも、ドラムモーター３の逆起電圧をこのコンデンサー３２の放電電圧で補うことにより、キャプスタンモーター４の回転により大きくブレーキをかけることができるようになる。
【００５６】
また、キャプスタンモーター４の回転にブレーキをかけるための全ての電圧をコンデンサー３２でまかなうのではなく、ドラムモーター３の逆起電圧を補うための予備的な電圧をコンデンサー３２に充電するだけなので、コンデンサー３２としては容量の小さいものを用いれば足りる。したがって、ＶＴＲの小型化に対する妨げになることはない。
【００５７】
図５は、図２の回路のうち、制御信号FWD／REVをキャプスタンモーター４に供給する部分の構成の変更例を示す図である。その他の部分の構成は、図２と同一なので図示を省略している。
【００５８】
この変更例では、制御信号FWD／REVが、ＦＥＴスイッチ４１を介してキャプスタンモーター４内のドライバーＩＣ２４（図３）に供給されるとともに、ＦＥＴスイッチ４２にオンオフ制御用の信号（‘Ｈ’＝５Ｖのときオンを指示し、‘Ｌ’＝０Ｖのときオフを指示する信号）として供給される。
【００５９】
ＦＥＴスイッチ４２は、一端が接地され、もう一端がＦＥＴスイッチ４３及び抵抗器４４を介してＦＥＴスイッチ４１とキャプスタンモーター４との接続中点Ｐ５に接続されている。
【００６０】
ＦＥＴスイッチ４２とＦＥＴスイッチ４３との接続中点Ｐ６には、商用電源に基き、‘Ｈ’の状態の制御信号FWD／REVと同じ５Ｖの電圧Ｖcc2が、整流用ダイオード４５を介して供給される。また、この接続中点Ｐ６には、コンデンサー４６が接続されている。
【００６１】
ＦＥＴスイッチ４１は、図２のＦＥＴスイッチ１３と同じく、キャプスタンモーター４内のドライバーＩＣ２４（図３）を駆動するための電圧Ｖccが供給されていないことが検出されたときにオフにされる。ＦＥＴスイッチ４３は、図２のＦＥＴスイッチ１５と同じく、この電圧Ｖccが供給されていないことが検出されたときにオンにされる。
【００６２】
この変更例では、商用電源が供給されており、且つ、ビデオテープをリバース方向に走行させているときには、‘Ｈ’＝５Ｖの制御信号FWD／REVがＦＥＴスイッチ４１を介してキャプスタンモーター４内のドライバーＩＣ２４（図３）に供給されるとともに、ＦＥＴスイッチ４２がオンになって整流用ダイオード４５が接地されるので、コンデンサー４６は充電されない。
【００６３】
そして、このリバース走行中に商用電源の供給が遮断されると、ＦＥＴスイッチ４１，４２がオフになるとともにＦＥＴスイッチ４３がオンになるので、キャプスタンモーター４内のドライバーＩＣ２４（図３）に供給される電圧は０Ｖ（すなわち、それまでの‘Ｈ’＝５Ｖの制御信号FWD／REVを反転させた、フォワード方向を指示する信号）になる。したがって、図２の構成の回路と全く同様にして、キャプスタンモーター４の回転にブレーキがかかる。
【００６４】
他方、商用電源が供給されており、且つ、ビデオテープをフォワード方向に走行させているときには、‘Ｌ’＝０Ｖの制御信号FWD／REVがＦＥＴスイッチ４１を介してキャプスタンモーター４内のドライバーＩＣ２４に供給されるとともに、ＦＥＴスイッチ４２がオフになるので、整流用ダイオード４５からの電圧がコンデンサー４６に充電される。
【００６５】
そして、このフォワード走行中に商用電源の供給が遮断されると、ＦＥＴスイッチ４１，４２がオフになるとともにＦＥＴスイッチ４３がオンになるので、コンデンサー４６が放電され、その放電電圧がＦＥＴスイッチ４３及び抵抗器４４を介してキャプスタンモーター４内のドライバーＩＣ２４（図３）に供給される。この電圧は、コンデンサー４６の容量及び抵抗器４４の抵抗値を適切に設定することにより、約５Ｖ（すなわち、それまでの‘Ｌ’＝０Ｖの制御信号FWD／REVを反転させた、リバース方向を指示する信号）にすることができる。したがって、やはりキャプスタンモーター４の回転にブレーキをかけることができる。
【００６６】
このように、この変更例では、フォワード走行中，リバース走行中のいずれにおいても、電源供給遮断時に、走行方向をそれまでとは反転させることをキャプスタンモーター４内のドライバーＩＣ２４（図３）に指示することができる。
【００６７】
したがって、フォワード走行中，リバース走行中のいずれの状態で電源の供給が遮断された場合にもビデオテープにたるみが発生し得るようなテープ走行系（例えば、供給リール，巻取りリールの双方を専用のリールモーターで回転させるテープ走行系）を設けたＶＴＲにおいても、電源供給遮断時にキャプスタンモーターの回転にブレーキをかけてビデオテープのたるみの発生を抑制することができる。
【００６８】
なお、以上の例では、３相ＤＣモーターをキャプスタンモーターとして用いたＶＴＲに本発明を適用しているが、その他のモーター（例えば２相ＤＣモーター等）をキャプスタンモーターとして用いたＶＴＲにも同様にして本発明を適用することができる。
【００６９】
また、以上の例ではＶＴＲに本発明を適用しているが、供給リール，巻取りリール，ドラムモーター及びキャプスタンモーターを有するテープ走行系を設けたその他の装置（例えばデータレコーダー等）にも本発明を適用することができる。
【図面の簡単な説明】
【００７０】
【図１】本発明を適用したＶＴＲのテープ走行系の構成を示す図である。
【図２】本発明を適用したＶＴＲにおけるテープたるみ抑制用の回路の構成例を示す図である。
【図３】３相ＤＣモーターの構成の概要を示す図である。
【図４】図２の回路の変更例を示す図である。
【図５】図２の回路の変更例を示す図である。
【図６】ＶＴＲのテープ走行系の基本的構成を示す図である。
【符号の説明】
【００７１】
１  供給リール、  ２  巻取りリール、  ３  ドラムモーター、  ４    キャプスタンモーター、  ５  リールモーター、  ６  ベルト、  ７ａ〜７ｃ  ギヤ、  ８  ピンチローラー、  ９ａ〜９ｇ  テープガイド、  １１，１２，１６，１７，４５  整流用ダイオード、  １３，１５，４１〜４３  ＦＥＴスイッチ、  １４  電圧検出回路、  ２４  ドライバーＩＣ、  ３１，４４  抵抗器、  ３２，４６  コンデンサー
【図１】
2006277797.tif 000003
【図２】
2006277797.tif 000004
【図３】
2006277797.tif 000005
【図４】
2006277797.tif 000006
【図５】
2006277797.tif 000007
【図６】
2006277797.tif 000008